(57)【特許請求の範囲】
【請求項１】
衛生マスクに貼着して用いるマスク用保冷材ケースであって、
シート状物により形成されたケース本体と、
前記ケース本体を衛生マスクに貼着する接着テープと
を備え、
前記ケース本体は、上端が開口した袋からなる左右一対の保冷材収容部と、前記一対の保冷材収容部を連結すべく前記一対の保冷材収容部の間に設けられる前記保冷材収容部より上下方向の幅の細い連結部と、前記保冷材収容部の間において前記連結部の下方に隣接し上方へ凹入する凹部とを有し、
前記一対の保冷材収容部は、一対の矩形の保冷材を正面視でハの字に収容すべく、正面視でハの字に形成され、
前記凹部は、下方ほど幅広に広がるよう設けられており、
前記接着テープは、前記ケース本体の上端縁にのみ設けられていることを特徴とするマスク用保冷材ケース。
【発明の詳細な説明】
【技術分野】
【０００１】
この発明は、着用中の衛生マスクを冷却する技術に関し、特に衛生マスクを保冷材により冷却する技術に関する。
【背景技術】
【０００２】
従来、衛生マスクを保冷材により冷却する技術が提案されている（特許文献１、特許文献２参照）。
【０００３】
例えば特許文献１では、マスクの片側を大きく裁断して開閉可能にし、内部に保冷材を収容可能としたマスクが提案されている。特許文献１のマスクでは、上下２本の冷却材を配することで口と鼻を同時に冷やしより炎症を緩和させるとともに、冷却シート入り袋に二つの切り込みを入れ、吐く息がマスク上部に集中することを回避してメガネのくもりを防止している。
【０００４】
また、特許文献２では、マスクの内側に両面テープで冷却ジェルシートを固定するカーゼマスクが提案されている。特許文献２のガーゼマスクでは、鼻の当たる部分に冷却ジェルシートを貼着することで、鼻炎の症状を和らげると同時に、マスクを顔にフィットさせて外れ難くしている。
【先行技術文献】
【特許文献】
【０００５】
【特許文献１】実用新案登録第３１１５２２８号公報
【特許文献２】実用新案登録第３１０１６７３号公報
【発明の概要】
【発明が解決しようとする課題】
【０００６】
しかし、特許文献１のアイデアは、市販の使い捨てマスクには使えないという問題があり、特許文献２のマスクでは、ジェルがむき出しのため皮膚が露で濡れてしまうという問題が有る。
本発明は、上記課題に鑑みてなされたものであり、市販のマスクに取り付け可能で、かつ保冷材の露で皮膚が濡れないマスク用保冷材ケースの提供を目的とする
【課題を解決するための手段】
【０００７】
上記の課題を解決するためになされた発明は、衛生マスクに貼着して用いるマスク用保冷材ケースであって、シート状物により形成されたケース本体と、前記ケース本体を衛生マスクに貼着する接着テープとを備え、前記ケース本体は、上端が開口した袋からなる保冷材収容部を有する。
【０００８】
本発明のマスク用保冷材ケースは、このように保冷材を袋状のケースに入れて接着テープによりマスクに貼着するようにしたので、不織布製のマスクやガーゼマスクなど、いろんなマスクに取り付けることができ、また、保冷材を袋状のケースに入れるので保冷材から発生する露で顔が濡れることを抑制できる。
【０００９】
前記ケース本体は、左右一対の保冷材収容部と、前記一対の保冷材収容部を連結すべく前記一対の保冷材収容部の間に設けられる前記保冷材収容部より上下方向の幅の細い連結部と、前記保冷材収容部の間において前記連結部の下方に隣接し上方へ凹入する凹部とを有する。
【００１０】
本発明のマスク用保冷材ケースは  前記一対の保冷材収容部が、一対の矩形の保冷材を正面視でハの字に収容すべく、正面視でハの字に形成され、前記凹部は、下方ほど幅広に広がるよう設けられており、前記接着テープは、前記ケース本体の上端縁にのみ設けられている。
不織布製のマスクには、水平方向に設けたひだを上下に広げて用いるものがある。上記の凹部を備えるマスク用保冷材ケースをかかるひだ付きマスクに用いると、マスクを上下に広げた際に、凹部の幅が下方ほど狭まって、保冷材収容部が鼻の側へ片寄ってしまう。当該凹部を下方ほど幅広に設けることで、マスクを上下に広げて左右の保冷材収容部が鼻の方に片寄った際に、保冷材収容部を丁度頬の上に配置することができる。
【発明の効果】
【００１２】
以上説明したように、本発明のマスク用保冷材ケースによれば、市販のマスクに対し保冷材を取付けることが可能であり、保冷材による露で頬が濡れることを抑制できる。
【図面の簡単な説明】
【００１３】
【図１】本発明の第１実施形態に係るマスク用保冷材ケースを着用した状態を示す斜視図である。
【図２】図１のマスク用保冷材ケースの（ａ）正面図、（ｂ）（ａ）のＸ−Ｘ線断面図、（ｃ）（ａ）のＹ−Ｙ線断面図である。
【図３】（ａ）は、図２のマスクを、広げる前のひだ付きマスクに貼着した様子を示す背面図、（ｂ）は、（ａ）の状態からひだ付きマスクを上下方向に広げた様子を示す背面図である。
【図４】本発明の第２実施形態に係るマスク用保冷材ケースの正面図である。
【図５】本発明の第３実施形態に係るマスク用保冷材ケースを２つ並べて示した正面図である
【発明を実施するための形態】
【００１４】
以下、適宜図面を用いながら本発明の実施形態について詳述する。ただし、本発明は、以下の実施形態に限られるものではない。
【００１５】
（第１実施形態）
図１から図３は、本発明の第１実施形態に係るマスク用保冷材ケース１００を示している。マスク用保冷材ケース１００は、図１に破線で示すように、保冷材Ｂを入れた状態で衛生マスクＡの裏面側に貼着して用いるものである。マスク用保冷材ケース１００は、図２に示すように、シート状物により形成されたケース本体１とケース本体１を衛生マスクＡに貼着する雄の面ファスナー（接着テープ）２とを備えている。
【００１６】
ケース本体１は、上端が開口した左右一対の保冷材収容部３，３と、左右の保冷材収容部３，３を連結する連結部５と、保冷材収容部３の間に設けられる凹部４とを備えている。連結部５は、保冷材収容部３の上下方向の幅よりも細い幅を有する帯状に形成され、凹部４は、連結部５の下方に隣接して上方へ凹入するよう設けられている。
【００１７】
ケース本体１は、図２（ａ）に示すように、左右一対の保冷材収容部３，３が正面視でハの字になるように、換言すると、凹部４が下方ほど幅広になるよう設けられている。ケース本体１は、図２（ｂ）,（ｃ）に示すように、表裏２枚のシート状物１１，１２を上端縁を除く周縁を融着線１３で融着して形成され上端に左右の全幅にわたる開口部６を有している。
【００１８】
ケース本体１に用いるシート状物としては、特に限定されず樹脂製、紙製、布製その他の公知のものを適宜に用いることができる。ただし、ポリウレタンやポリオレフィンの発砲シートや不織布等のシート材が、成型のしやすさや保冷材の結露等に対する耐水性の観点から好ましい。
【００１９】
雄の面ファスナー２は、ケース本体１の表面の上端縁に沿って、連結部５を跨って左右の保冷材収容部３，３の上部まで設けられている。
【００２０】
マスク用保冷材ケース１００は、図３に示すように、左右方向に延びるひだＡ１を備えた衛生マスクＡに用いる。マスク用保冷材ケース１００は、開口部６から左右一対の保冷材収容部に冷やしておいた保冷材Ｂを挿入した状態で、雄の面ファスナー２により衛生マスクＡの裏面側に貼着する。このようにマスク用保冷材ケース１００は、雄の面ファスナー２を用いているので、衛生マスクＡを交換する度に繰り返し使用することができる。
【００２１】
マスク用保冷材ケース１００を衛生マスクＡに貼着した後、図３（ｂ）に示すように、衛生マスクＡを上下方向に広げると、ハの字に開いていた左右一対の保冷材収容部３，３が略平行に姿勢を変更する。これにより、保冷材Ｂ，Ｂを的確に着用者の頬へ配置することができる。
【００２２】
（第２実施形態）
図４は、本発明の第２実施形態に係るマスク用保冷材ケース２００を示している。マスク用保冷材ケース２００は、ひだを有さない衛生マスクに貼着するもので、左右の保冷材収容部３，３が略平行に、凹部４の左右方向の幅が一定に設けられている。面ファスナー２０２は、本実施形態のように、左右２つに分けて貼着してもよい。
尚、第２実施形態以降の実施形態において、第１実施形態と共通する部材については同一符号を付して説明を省略する。
【００２３】
（第３実施形態）
図５は、本発明の第３実施形態に係るマスク用保冷材ケース３００を示している。マスク用保冷材ケース３００は、ケース本体３０１と雄の面ファスナー３０２とからなり、ケース本体３０１は、上部に開口部２０６を備えた袋状に形成され、１個の保冷材収容部のみからなり、連結部を有さない。マスク用保冷材ケース３００は、図５に示すように一対をマスクの頬の部分に貼着して使用する。
【００２４】
以上、本発明のマスク用保冷材ケースは、上述した実施形態に限らず、例えば、連結部の上下方向の幅を保冷材収容部と同じにして凹部を省略してもよいし、保冷材収容部を着用者の鼻の位置に設けてもよく、マスクの表側（外側）に貼着してもよい。連結部の表裏２枚のシートの上端を融着して閉じてもよいし、１枚のシート状物で形成してもよい。保冷材収容部は、縦長に限らず横長に形成してもよい。接着テープは、雄の面ファスナーに限らず、両面テープその他の公知の接着に使えるテープを使うことができる。
【符号の説明】
【００２５】
１００，２００，３００  マスク用保冷材ケース
１，２０１，３０１  ケース本体
２，２０２，３０２  雄の面ファスナー（接着テープ）
３  保冷材収容部
４  凹部
５  連結部
Ａ  衛生マスク
【要約】      （修正有）【課題】市販のマスクに保冷材を取付け可能とする。【解決手段】本発明は、衛生マスクＡに貼着して用いるマスク用保冷材ケース１００であり、シート状物により形成されたケース本体１と、ケース本体１を衛生マスクＡに貼着する接着テープ２とを備え、ケース本体１は、上端が開口した袋からなる保冷材収容部３を有する。【選択図】図１【図１】
0006847482.tif 000002
【図２】
0006847482.tif 000003
【図３】
0006847482.tif 000004
【図４】
0006847482.tif 000005
【図５】
0006847482.tif 000006